(57)【特許請求の範囲】
【請求項１】
内蔵した複数のチューナにより所望の放送波を受信する受信装置と、
中継ケーブルを介して前記受信装置の信号及び又は電力を伝送する伝送ケーブルとを有する受信システムにおいて、
前記伝送ケーブルが複数本のケーブルであり、
前記中継ケーブルは、
複数の芯線ケーブルを被覆線で囲った多芯同軸ケーブルであり、
前記被覆線の前記伝送ケーブル側端が、開放端とされ、
前記芯線ケーブルの前記伝送ケーブル側端が、それぞれ対応する前記複数本のケーブルの１つに接続され、
前記受信装置は、
前記被覆線の前記受信装置側端を、接地し、
前記芯線ケーブルの前記受信装置側端を、それぞれ対応する前記複数のチューナのアンテナ入力端に接続する
受信システム。
【請求項２】
前記伝送ケーブルは、
前記中継ケーブル側端とは逆側端に右チャンネル用及び左チャンネル用のスピーカが接続されたイヤホンのケーブルである
請求項１に記載の受信システム。
【請求項３】
内蔵した複数のチューナにより所望の放送波を受信する受信装置において、
中継ケーブルを介して信号及び又は電力を伝送ケーブルに送出し、又は中継ケーブルを介して電力を伝送ケーブルから入力し、
前記伝送ケーブルが複数本のケーブルであり、
前記中継ケーブルは、
複数の芯線ケーブルを被覆線で囲った多芯同軸ケーブルであり、
前記被覆線の前記伝送ケーブル側端が、開放端とされ、
前記芯線ケーブルの前記伝送ケーブル側端が、それぞれ対応する前記複数本のケーブルの１つに接続され、
前記受信装置は、
前記被覆線の前記受信装置側端を、接地し、
前記芯線ケーブルの前記受信装置側端を、それぞれ対応する前記複数のチューナのアンテナ入力端に接続する
受信装置。
【請求項４】
前記伝送ケーブルが、
前記中継ケーブル側端とは逆側端に右チャンネル用及び左チャンネル用のスピーカが接続されたイヤホンのケーブルである
請求項３に記載の受信装置。
【請求項５】
コネクタを介して前記中継ケーブルを着脱可能に接続する
請求項３に記載の受信装置。
【請求項６】
前記複数のチューナの少なくとも１つの前記アンテナ入力端に、マッチング回路が設けられた
請求項３に記載の受信装置。
【請求項７】
コネクタを介して複数のチューナを有する受信装置に一端が接続され、他端に接続された伝送ケーブルとの間で前記受信装置の信号及び又は電力を中継する中継ケーブルにおいて、
前記伝送ケーブルが複数本のケーブルであり、
複数の芯線ケーブルを被覆線で囲った多芯同軸ケーブルであり、
前記被覆線の前記他端が、開放端とされ、
前記芯線ケーブルの前記他端が、それぞれ対応する前記複数本のケーブルの１つに接続され、
前記被覆線の前記一端及び前記芯線ケーブルの前記一端が、それぞれ対応する前記コネクタの端子に接続され、
前記コネクタを介して、前記被覆線の前記一端が、前記受信装置で接地されると共に、前記芯線ケーブルの前記一端が、それぞれ対応する前記複数のチューナのアンテナ入力端に接続される
中継ケーブル。
【請求項８】
前記伝送ケーブルが、
前記中継ケーブル側端とは逆側端に右チャンネル用及び左チャンネル用のスピーカが接続されたイヤホンのケーブルである
請求項７に記載の中継ケーブル。
【発明の詳細な説明】
【技術分野】
【０００１】
本発明は、受信システム、受信装置及び中継ケーブルに関し、例えばディジタルラジオ放送等を受信可能な携帯電話に適用することができる。本発明は、多芯同軸ケーブルを用いた同軸線路により中継ケーブルを構成し、芯線ケーブルをそれぞれ個別にチューナのアンテナ入力端に接続することにより、汎用性の低い電子部品を使用することなく、装置の大型化、重量の増大、受信感度の低下を有効に回避して複数の放送波を受信することができるようにする。
【背景技術】
【０００２】
従来、テレビジョン放送等を受信可能な携帯電話は、内蔵アンテナ又は外部アンテナで放送波を受信している。ここで内蔵アンテナは、携帯電話のデザインを損なわない長所がある。しかしながら内蔵アンテナは、外部アンテナに比して感度が劣り、内部ノイズの影響を受け易い等の欠点がある。
【０００３】
これに対して外部アンテナには、ロッドアンテナ、イヤホンアンテナ等がある。ここでロッドアンテナは、内蔵アンテナに比して感度等が優れる長所がある。しかしながらロッドアンテナは、携帯電話のデザインを損ない、さらにはアンテナが突出する等の欠点がある。これに対してイヤホンアンテナは、例えば特開２００７−１０４５９１号公報に開示されているように、イヤホンのケーブルをアンテナとして使用するものである。イヤホンアンテナは、携帯電話のデザインを損なうことなく、感度の劣化、内部ノイズの影響を防止することができる。
【０００４】
ところでこの種の携帯電話では、複数のチューナを有し、複数の放送波を受信するものがある。このように複数のチューナを有する場合、理想的にはチューナ毎にそれぞれアンテナを設けることが望まれる。
【０００５】
しかしながらチューナ毎にアンテナを設けたのでは、携帯電話の形状が大型化し、重量が増大する恐れがある。そこで従来、携帯電話では、図３５に示すように、スイッチ回路１でアンテナ２の接続を切り換え、複数のチューナ３、４で１つのアンテナ２を共用している。なおここでチューナ３、４は、例えばテレビジョンチューナ、ディジタルラジオ放送のチューナである。またスイッチ回路１は、例えば高周波特性に優れた半導体スイッチで構成される。
【０００６】
しかしながらこのようにスイッチ回路でアンテナの接続を切り換えて１つのアンテナを複数のチューナで共通に使用する場合、スイッチ回路による高周波信号の損失を避け得ない。従って受信感度が劣化する問題がある。なお増幅回路を設けてスイッチ回路による損失を補償する方法も考えられるが、この方法では全体構成が複雑になる。
【０００７】
またこのようにスイッチ回路でアンテナの接続を切り換えて１つのアンテナを複数のチューナで使用する場合、高周波特性に優れた半導体を使用してスイッチ回路を構成することが必要になり、汎用性の低い電子部品を使用しなければならない問題もある。
【特許文献１】特開２００７−１０４５９１号公報
【発明の開示】
【発明が解決しようとする課題】
【０００８】
本発明は以上の点を考慮してなされたもので、汎用性の低い電子部品を使用することなく、装置の大型化、重量の増大、受信感度の低下を有効に回避して複数の放送波を受信することができる受信システム、受信装置及び中継ケーブルを提案しようとするものである。
【課題を解決するための手段】
【０００９】
上記の課題を解決するため請求項１の発明は、内蔵した複数のチューナにより所望の放送波を受信する受信装置と、中継ケーブルを介して前記受信装置の信号及び又は電力を伝送する伝送ケーブルとを有する受信システムに適用して、前記伝送ケーブルが複数本のケーブルであり、前記中継ケーブルは、複数の芯線ケーブルを被覆線で囲った多芯同軸ケーブルであり、前記被覆線の前記伝送ケーブル側端が、開放端とされ、前記芯線ケーブルの前記伝送ケーブル側端が、それぞれ対応する前記複数本のケーブルの１つに接続され、前記受信装置は、前記被覆線の前記受信装置側端を、接地し、前記芯線ケーブルの前記受信装置側端を、それぞれ対応する前記複数のチューナのアンテナ入力端に接続する。
【００１０】
また請求項３の発明は、内蔵した複数のチューナにより所望の放送波を受信する受信装置に適用して、中継ケーブルを介して信号及び又は電力を伝送ケーブルに送出し、又は中継ケーブルを介して電力を伝送ケーブルから入力し、前記伝送ケーブルが複数本のケーブルであり、前記中継ケーブルは、複数の芯線ケーブルを被覆線で囲った多芯同軸ケーブルであり、前記被覆線の前記伝送ケーブル側端が、開放端とされ、前記芯線ケーブルの前記伝送ケーブル側端が、それぞれ対応する前記複数本のケーブルの１つに接続され、前記受信装置は、前記被覆線の前記受信装置側端を、接地し、前記芯線ケーブルの前記受信装置側端を、それぞれ対応する前記複数のチューナのアンテナ入力端に接続する。
【００１１】
また請求項７の発明は、コネクタを介して複数のチューナを有する受信装置に一端が接続され、他端に接続された伝送ケーブルとの間で前記受信装置の信号及び又は電力を中継する中継ケーブルに適用して、前記伝送ケーブルが複数本のケーブルであり、複数の芯線ケーブルを被覆線で囲った多芯同軸ケーブルであり、前記被覆線の前記他端が、開放端とされ、前記芯線ケーブルの前記他端が、それぞれ対応する前記複数本のケーブルの１つに接続され、前記被覆線の前記一端及び前記芯線ケーブルの前記一端が、それぞれ対応する前記コネクタの端子に接続され、前記コネクタを介して、前記被覆線の前記一端が、前記受信装置で接地されると共に、前記芯線ケーブルの前記一端が、それぞれ対応する前記複数のチューナのアンテナ入力端に接続される。
【００１２】
請求項１、請求項３、又は請求項７の構成によれば、中継ケーブルを同軸伝送路として機能させて、スイッチ回路等を設けることなく、各伝送ケーブルで受信した高周波信号を対応するチューナにそれぞれ入力することができる。従って汎用性の低い部品を使用することなく、個々の伝送ケーブルで受信した高周波信号を個々のチューナに入力することができ、装置の大型化、重量の増大、受信感度の低下を有効に回避して複数の放送波を受信することができる。
【発明の効果】
【００１３】
本発明によれば、汎用性の低い電子部品を使用することなく、装置の大型化、重量の増大、受信感度の低下を有効に回避して複数の放送波を受信することができる。
【発明を実施するための最良の形態】
【００１４】
以下、適宜図面を参照しながら本発明の実施例を詳述する。
【実施例１】
【００１５】
（１）実施例の構成
図２は、本発明の実施例１の携帯電話システムを示す斜視図である。この携帯電話システム１１は、イヤホンアンテナにより複数の放送波を受信する。このため携帯電話システム１１は、中継ケーブル１２を介してイヤホン１３が携帯電話１４に接続される。
【００１６】
ここでイヤホン１３は、ケーブル１６の一端にプラグ１７が接続され、ケーブル１６の他端に右チャンネル用及び左チャンネル用のスピーカ１８Ｒ及び１８Ｌが接続される。また中継ケーブル１２は、ケーブル２０の一端に、イヤホン１３のプラグ１７を接続するジャック２１が設けられ、ケーブル２０の他端に、プラグ２２が設けられる。また携帯電話１４は、プラグ２２を接続するジャック２３が設けられる。
【００１７】
ここでイヤホン１３は、図１に示すように、右チャンネル用及び左チャンネル用のスピーカ１８Ｒ及び１８Ｌからそれぞれ延長する平行２線式のケーブルが、右チャンネル及び左チャンネルのオーディオ信号でアースを共通化した３線式フラットケーブルに接続され、この３線式フラットケーブルがプラグ１７の各端子１７Ｇ、１７Ｌ、１７Ｒに接続される。イヤホン１３は、右チャンネル側のケーブルに比して左チャンネル側のケーブルが長くなるように形成される。
【００１８】
中継ケーブル１２のケーブル２０は、多芯同軸ケーブルであり、３本の芯線ケーブルＬＬ、ＬＲ、ＬＧを網線による被覆線ＳＳで囲って形成される。ケーブル２０は、この３本の芯線ケーブルＬＬ、ＬＲ、ＬＧが、それぞれジャック２１の対応する端子２１Ｌ、２１Ｒ、２１Ｇに接続され、この３本の芯線が、それぞれ左チャンネルオーディオ信号のホット側、右チャンネルオーディオ信号のホット側、右チャンネルオーディオ信号及び左チャンネルオーディオ信号に共通のグランドに割り当てられる。また被覆線ＳＳは、イヤホン１３に接続されることなく、ジャック２１側端が開放端とされる。
【００１９】
またケーブル２０は、プラグ２２の背面に配置された配線基板２４を介してプラグ２２に接続され、芯線ケーブルＬＬ、ＬＲ、ＬＧ及び被覆線ＳＳがそれぞれ個別に携帯電話１４に接続される。このためプラグ２２は、これら芯線ケーブルＬＬ、ＬＲ、ＬＧ及び被覆線ＳＳをそれぞれ個別に携帯電話１４に接続可能に、複数の端子が設けられる。より具体的にこの実施例において、プラグ２２は、１０ピンの端子が設けられる。なお図１においては、この１０ピンの各端子を数字１から１０により示す。
【００２０】
すなわちケーブル２０は、左チャンネルオーディオ信号のホット側、右チャンネルオーディオ信号のホット側がそれぞれ割り当てられた芯線ケーブルＬＬ、ＬＲが、プラグ２２の第４及び第５の端子４及び５にそれぞれ接続される。またケーブル２０は、グランドに割り当てられた芯線ケーブルＬＧがプラグ２２の第１の端子１に接続される。またケーブル２０は、被覆線ＳＳが第１０の端子１０に接続される。またケーブル２０は、この被覆線ＳＳがさらに第３及び第６の端子３及び６に接続される。ここで第３及び第６の端子３及び６は、携帯電話１４で中継ケーブル１２の接続を検出する接続検出用端子であり、携帯電話１４では、これら第３及び第６の端子３及び６に対応するジャック２３の端子がグランドに接続されているか否か判定することにより中継ケーブル１２の接続を検出する。
【００２１】
ケーブル２０は、配線基板２４上に配置された高周波遮断回路２５によりグランドに割り当てられた芯線ケーブルＬＧ及び被覆線ＳＳが接続され、これにより高周波的にはこれら芯線ケーブルＬＧ及び被覆線ＳＳが絶縁された状態で、直流的にこれら芯線ケーブルＬＧ及び被覆線ＳＳが同電位に設定される。なおここでこの高周波遮断回路２５は、例えばチップインダクタにより構成される。なおこの実施例において、芯線ケーブルＬＬ、ＬＲ、ＬＧは、中継ケーブル１２内において、直流的にも交流的にも相互に絶縁された状態に保持されるものの、イヤホンアンテナとして各放送波の周波数帯域で十分な特性を確保することができる場合、又はイヤホンアンテナとしての特性が不十分な場合には、図１において破線により示すように、プラグ２２側端をコンデンサＣ１、Ｃ２で接続してもよい。
【００２２】
携帯電話１４は、ＦＭ放送及びテレビジョン放送の受信機能を有する携帯電話である。携帯電話１４は、ローバンドチューナ２８とハイバンドチューナ２９とが設けられ、これらのローバンドチューナ２８、ハイバンドチューナ２９から右チャンネル及び左チャンネルのオーディオ信号ＳＡＲ及びＳＡＬが出力される。なおここでローバンドチューナ２８は、ＦＭ放送及びテレビジョン放送のローバンドを受信するチューナである。またハイバンドチューナ２９は、テレビジョン放送のハイバンドを受信するチューナである。携帯電話１４は、右チャンネル及び左チャンネルのオーディオ信号ＳＡＲ及びＳＡＬをそれぞれ増幅回路３０Ｒ及び３０Ｌで増幅した後、切替回路３１を介して内蔵スピーカ３２に入力する。
【００２３】
また携帯電話１４は、中継ケーブル１２が接続されると、コントローラ３３により切替回路３１の動作を切り換え、内蔵スピーカ３２へのオーディオ信号ＳＡＲ及びＳＡＬの出力を中止すると共に、これらオーディオ信号ＳＡＲ及びＳＡＬを中継ケーブル１２に出力する。
【００２４】
ここで携帯電話１４は、左チャンネルのオーディオ信号ＳＡＬについては、中継ケーブル１２からの高周波信号の進入を防止する高周波遮断回路３５Ｌを介して、切替回路３１から出力されるオーディオ信号ＳＡＬをジャック２３の対応する端子に出力する。これに対して右チャンネルのオーディオ信号ＳＡＲについては、同様の高周波遮断回路３５Ｒ、バンドパスフィルタ３６を介して、切替回路３１から出力されるオーディオ信号をジャック２３の対応する端子に出力する。ここで高周波遮断回路３５Ｌ及び３５Ｒは、それぞれチップインダクタである。これにより携帯電話１４は、中継ケーブル１２が接続されると、内蔵スピーカ３２に代えてイヤホン１３によりオーディオ信号ＳＡＬ、ＳＡＲをユーザーに提供する。
【００２５】
携帯電話１４は、高周波遮断回路３５Ｒのバンドパスフィルタ３６側端が、マッチング回路（Ｍ）３７を介して、ローバンドチューナ２８のアンテナ入力端に接続される。ここでバンドパスフィルタ３６は、チップインダクタとチップコンデンサとの並列共振回路である。バンドパスフィルタ３６は、ハイバンドチューナ２９の受信周波数帯域で高周波信号を遮断し、この受信周波数帯域におけるローバンドチューナ２８のジャック２３への接続を遮断する。従ってバンドパスフィルタ３６は、この高周波的な遮断の特性を十分に確保できるように、共振周波数がハイバンドチューナ２９の受信周波数帯域のほぼ中心周波数に設定され、先鋭度Ｑが所望の値に設定される。なお実用上十分に、ローバンドチューナ２８へのアンテナ入力をハイバンドチューナ２９の受信周波数で抑圧することができる場合には、バンドパスフィルタ３６を省略してもよい。
【００２６】
マッチング回路３７は、バンドパスフィルタ３６側端を接地するチップインダクタＬ１と、このバンドパスフィルタ３６側端をローバンドチューナ２８のアンテナ入力端に接続するチップコンデンサＣ３とにより構成され、イヤホンアンテナとローバンドチューナ２８のアンテナ入力端との整合を図る。これにより携帯電話１４は、右チャンネルオーディオ信号のホット側に割り当てられた芯線ケーブルＬＲ、この芯線ケーブルＬＲに接続されるイヤホン１３のケーブルをローバンドチューナ２８のアンテナ入力端に接続する。
【００２７】
携帯電話１４は、プラグ２２の第１０の端子１０に対応するジャック２３の端子を、アースに接続する。これにより携帯電話１４は、図３（Ａ）及び（Ｂ）に示すように、中継ケーブル１２を同軸伝送路として機能させ、芯線ケーブルＬＲに接続されるイヤホン１３のケーブルをローバンドチューナ２８のアンテナとして機能させる。従ってこの場合、イヤホン１３では、右側オーディオ信号のホット側に割り当てられた、プラグ１７から右側スピーカ１８Ｒまでのケーブルがアンテナとして機能することになる。
【００２８】
携帯電話１４は、さらにプラグ２２の第１の端子１に対応するジャック２３の端子が、スイッチ回路４１を介してハイバンドチューナ２９のアンテナ入力端に接続される。ここでスイッチ回路４１は、コントローラ３３の制御により、内蔵アンテナ４２又はジャック２３の対応する端子をハイバンドチューナ２９のアンテナ入力端に接続する半導体スイッチである。これにより携帯電話１４は、ハイバンドチューナ２９側については、オーディオ信号のグランドに割り当てられた芯線ケーブルＬＧ、この芯線ケーブルＬＧに接続されるイヤホン１３のケーブルをハイバンドチューナ２９のアンテナ入力端に接続する。またローバンドチューナ２８と同様に、中継ケーブル１２を同軸伝送路として機能させ、芯線ケーブルＬＧに接続されるイヤホン１３のケーブルをハイバンドチューナ２９のアンテナとして機能させる。
【００２９】
従ってこの場合、イヤホン１３は、オーディオ信号のグランドに割り当てられた、プラグ１７から右側スピーカ１８Ｒまでのケーブルと、プラグ１７から左側スピーカ１８Ｌまでのケーブルとがアンテナとして機能することになる。
【００３０】
これにより携帯電話１４では、図１との対比により図４に模式的に示すように、イヤホン１３における長さの異なるケーブルがアンテナ１３Ａ及び１３Ｂとして機能し、このアンテナ１３Ａ及び１３Ｂをそれぞれ第１及び第５の端子１及び５を介して直接ローバンドチューナ２８、ハイバンドチューナ２９のアンテナ入力端に接続する。
【００３１】
携帯電話１４は、このアンテナ入力に係るジャック２３側端が高周波遮断回路４３を介して直流的に接地される。なお高周波遮断回路４３は、チップインダクタである。なおローバンドチューナ２８側と同様に、ローバンドチューナ２８の受信周波数帯域でハイバンドチューナ２９のアンテナ入力を高周波的に遮断するバンドパスフィルタ４４、ハイバンドチューナ２９のアンテナ入力端に設けるようにしてもよい。またハイバンドチューナ２９側にもマッチング回路を設けるようにしてもよい。
【００３２】
なおローバンドチューナ２８及びハイバンドチューナ２９のアンテナ入力にそれぞれバンドパスフィルタ３６、４４を設けるようにして、他方の受信周波数帯域でアンテナ入力を遮断するようにすれば、図５に示すように、１つのアンテナをローバンドチューナ２８及びハイバンドチューナ２９で共用化する場合でも、ローバンドチューナ２８及びハイバンドチューナ２９の受信周波数帯域では、このアンテナにハイバンドチューナ２９又はローバンドチューナ２８が接続されていないような状態を作成することができる。
【００３３】
従ってこの実施例において、それぞれローバンドチューナ２８、ハイバンドチューナ２９のアンテナとして機能するイヤホン１３のケーブルの高周波的な結合等により、ローバンドチューナ２８及びハイバンドチューナ２９でそれぞれ所望の特性（受信感度）を確保できない場合には、適宜、バンドパスフィルタ３６及び又は４４を設けるようにして、特性を確保することができる。
【００３４】
なお図６は、バンドパスフィルタ３６及び４４を設けて、１本のアンテナをローバンドチューナ２８及びハイバンドチューナ２９で共用した場合の、ローバンドチューナ２８の受信特性を示す特性曲線図である。この図６において、符号ＬＶ及びＬＨは、それぞれ垂直偏波及び水平偏波のアンテナ入力特性であり、図７及び図８は、この垂直偏波及び水平偏波の特性を詳細に示す図表である。また図９〜図１１は、図６〜図８との対比により、同一の条件において、ハイバンドチューナ２９の受信特性を示す特性曲線図である。
【００３５】
これに対して図１２〜図１４は、図６〜図８との対比により、図６〜図８の特性の測定に使用したアンテナをローバンドチューナ２８のみに接続したローバンドチューナ２８の受信特性を示す特性曲線図である。また図１５〜図１７は、図９〜図１１との対比により、図９〜図１１の特性の測定に使用したアンテナをハイバンドチューナ２９のみに接続したハイバンドチューナ２９の受信特性を示す特性曲線図である。
【００３６】
これら図６〜図１７の測定結果によれば、バンドパスフィルタ３６、４４を設けることにより、それぞれ個別にアンテナを接続した場合とほぼ同等の特性を確保できることが判る。なおローバンドチューナ２８及びハイバンドチューナ２９で１つのアンテナを共用化する場合には、アンテナの接続の切り換えに係るスイッチ回路により図１２〜図１７の測定結果に対して０．５〜０．６〔ｄＢ〕の利得劣化が発生する。
【００３７】
携帯電話１４は（図１）、さらにプラグ２２の第３及び第６の端子に対応するジャック２３の端子が、高周波遮断回路４６、４７を介して接続された後、コントローラ３３に入力される。ここで高周波遮断回路４６、４７は、高周波信号の携帯電話１４への進入を防止する回路であり、例えばチップインダクタにより構成される。
【００３８】
コントローラ３３は、この携帯電話１４の動作を制御するコンピュータであり、ユーザーの操作等に応動して各部の動作を制御することにより、通話等の処理を実行する。この処理において、ユーザーが放送波の受信を指示すると、ユーザーの指示に応動してローバンドチューナ２８又はハイバンドチューナ２９の動作を立ち上げ、ローバンドチューナ２８又はハイバンドチューナ２９を介して受信されるコンテンツをユーザーに提供する。またこのとき第３及び第６の端子に対応するジャック２３の端子のグランドへの接続を検出することにより、中継ケーブル１２の接続を監視する。また中継ケーブル１２が接続されると、切替回路３１の動作を切り換え、内蔵スピーカ３２に代えてイヤホン１３よりオーディオ信号ＳＡＬ、ＳＡＲを出力する。またハイバンドチューナ２９により放送波を受信している場合には、中継ケーブル１２の接続の検出により、スイッチ回路４１の動作を切り換え、ハイバンドチューナ２９のアンテナ入力を内蔵アンテナ４２からイヤホンアンテナに切り換える。
【００３９】
（２）実施例の動作
以上の構成において、この携帯電話システム１１（図１及び図２）では、ユーザーの操作に応動してローバンドチューナ２８又はハイバンドチューナ２９が動作を立ち上げ、ローバンドチューナ２８又はハイバンドチューナ２９で受信されたオーディオ信号ＳＡＬ及びＳＡＲが内蔵スピーカ３２から出力される。また中継ケーブル１２が携帯電話１４に接続されている場合には、この中継ケーブル１２の接続がコントローラ３３で検出され、オーディオ信号ＳＡＬ及びＳＡＲが内蔵スピーカ３２に代えて中継ケーブル１２に出力される。
【００４０】
携帯電話システム１１では、このオーディオ信号ＳＡＬ及びＳＡＲが中継ケーブル１２の芯線ケーブルＬＬ及びＬＲを介してイヤホン１３のケーブルに供給され、これによりこのオーディオ信号ＳＡＬ及びＳＡＲによりイヤホン１３のスピーカ１８Ｌ及び１８Ｒが駆動される。携帯電話システム１１では、これにより中継ケーブル１２を介してイヤホン１３にオーディオ信号ＳＡＬ、ＳＡＲが伝送され、ローバンドチューナ２８又はハイバンドチューナ２９で受信した放送波の音声がイヤホン１３によりユーザーに提供される。
【００４１】
携帯電話システム１１では、このようにして中継ケーブル１２を介してイヤホン１３にオーディオ信号ＳＡＬ、ＳＡＲを伝送している状態で、イヤホン１３のケーブルに各種の高周波信号が誘起されることになる。
【００４２】
ここで携帯電話システム１１では、このオーディオ信号ＳＡＬ及びＳＡＲを伝送する中継ケーブル１２の芯線ケーブルＬＬ、ＬＲ及び対応するグランドの芯線ケーブルＬＧが、被覆線ＳＳにより囲まれた多芯同軸ケーブルとされ、この被覆線ＳＳがイヤホン１３側で開放端され、この被覆線ＳＳが携帯電話１４側で接地されていることにより、イヤホン１３のケーブルに誘起された高周波信号に対して、中継ケーブル１２は、同軸伝送路として機能することになる。
【００４３】
携帯電話システム１１では、これにより中継ケーブル１２の芯線ケーブルが携帯電話１４に設けられたローバンドチューナ２８及びハイバンドチューナ２９のアンテナ入力端に接続され、イヤホン１３のケーブルをアンテナとして機能させて放送波を受信することができる。またこのとき中継ケーブル１２が単なる同軸伝送路として機能することにより、携帯電話１４では、携帯電話１４から離間した箇所で受信した高周波信号により放送波を受信することができ、これにより内部ノイズの影響を有効に回避することができる。またイヤホン１３をイヤホンアンテナとして機能させることができることにより、装置の大型化、重量の増大を有効に回避することができる。
【００４４】
しかしながら単に中継ケーブル１２の芯線ケーブルをローバンドチューナ２８、ハイバンドチューナ２９のアンテナ入力端に共通に入力したのでは、ローバンドチューナ２８、ハイバンドチューナ２９で所望の受信感度等を確保することが困難になり、スイッチ回路等によりアンテナ入力を切り換えることが必要になる（図３５参照）。しかしながらこのようにすると構成が複雑になり、また汎用性の低い電子部品を使用することが必要になる。
【００４５】
そこでこの携帯電話システム１１では、芯線ケーブルＬＬ、ＬＲ、ＬＧを個別にローバンドチューナ２８、ハイバンドチューナ２９に接続可能に、中継ケーブル１２が構成され、また携帯電話１４では、芯線ケーブルＬＬ、ＬＲ、ＬＧが個別にローバンドチューナ２８又はハイバンドチューナ２９のアンテナ入力端に接続される。
【００４６】
具体的に、携帯電話システム１１では、右チャンネルオーディオ信号ＳＡＲの芯線ケーブルＬＲが、バンドパスフィルタ３６、マッチング回路３７を介してローバンドチューナ２８のアンテナ入力端に入力される。また右チャンネルオーディオ信号ＳＡＲ及び左チャンネルオーディオ信号ＳＡＬに共通のアースラインの芯線ケーブルＬＧが、スイッチ回路４１を介してハイバンドチューナ２９のアンテナ入力端に入力される。
【００４７】
これにより携帯電話システム１１では、スイッチ回路等のアンテナの接続を切り換える構成を設けることなく、各チューナ２８、２９にそれぞれ専用のアンテナを接続した場合と同等の構成を確保することができ（図４）、これにより汎用性の低い電子部品を使用することなく、装置の大型化、重量の増大、受信感度の低下を有効に回避して複数の放送波を受信することができる。
【００４８】
またこのように個々にアンテナを接続したと同様の構成を確保できることにより、携帯電話システム１１では、必要に応じて、各チューナ２８、２９のアンテナ入力端にマッチング回路を設けて特性の向上を図ることができ、これにより一段と受信感度等を向上することができる。
【００４９】
なお図１８は、図６との対比により、携帯電話システム１１における中継ケーブル１２の芯線ケーブルＬＧのみをハイバンドチューナ２９に接続する場合の特性を示す特性曲線図である。また図１９及び図２０は、図７及び図８との対比により、この図１８の特性を詳細に示す図表である。なおここで図２１に、これら図１８〜図２０の特性測定時の接続を示す。
【００５０】
これに対して図２２は、図１８との対比によりこの図１８の特性測定時の接続において、ハイバンドチューナ２９のアンテナ入力端にマッチング回路を設けた場合の特性を示す特性曲線図である。また図２３、図２４は、図１９及び図２０との対比により、この図２２の特性を詳細に示す図表である。なおここで図２５に、これら図２２〜図２４の特性測定時の接続を示す。なおマッチング回路は、いわゆるπ型のマッチング回路である。
【００５１】
これに対して図２６〜図２８は、これら図１８〜図２５との対比により、この実施例におけるハイバンドチューナ２９側の受信特性を示す特性曲線図である。これら図１８〜図２５によれば、この実施例では、マッチング回路を設けた場合とほぼ同等の特性によりハイバンドチューナ２９で放送波を受信できることが判る。
【００５２】
なお参考のために、図２６〜図２８との対比により、ローバンドチューナ２８に代えてハイバンドチューナ２９を配置し、プラグ２２の第５の端子５をハイバンドチューナ２９に接続する場合の特性を図２９〜図３１に示す。
【００５３】
（３）実施例の効果
以上の構成によれば、多芯同軸ケーブルを用いた同軸線路により中継ケーブルを構成し、芯線ケーブルをそれぞれ個別にチューナのアンテナ入力端に接続することにより、汎用性の低い電子部品を使用することなく、装置の大型化、重量の増大、受信感度の低下を有効に回避して複数の放送波を受信することができる。
【００５４】
より具体的に、中継ケーブルを介してイヤホンを接続することにより、このイヤホンのケーブルをアンテナとして使用することができ、装置の大型化、重量の増大、受信感度の低下を有効に回避して複数の放送波を受信することができる。
【００５５】
また複数のチューナの少なくとも１つのアンテナ入力端に、マッチング回路を設けることにより、特性を一段と向上することができる。
【実施例２】
【００５６】
なお上述の実施例においては、３つの芯線ケーブルＬＬ、ＬＲ、ＬＧのうちの２つの芯線ケーブルＬＲ、ＬＧをそれぞれハイバンドチューナ、ローバンドチューナのアンテナ入力端に接続する場合について述べたが、本発明はこれに限らず、携帯電話にチューナを３つ設けるようにし、３つの芯線ケーブルＬＬ、ＬＲ、ＬＧをそれぞれ各チューナのアンテナ入力端に接続するようにしてもよい。
【００５７】
また上述の実施例においては、ハイバンドチューナ側のアンテナ入力を内蔵アンテナとイヤホンアンテナとで切り換える場合について述べたが、本発明はこれに限らず、図１との対比により図３２に示すように、アンテナ入力の切り換えを省略する場合、図３３に示すように、ローバンドチューナ側において、アンテナ入力を内蔵アンテナとイヤホンアンテナとで切り換える場合、図３４に示すように、ローバンドチューナ側及びハイバンドチューナ側の双方で、アンテナ入力を内蔵アンテナとイヤホンアンテナとで切り換える場合等にも広く適用することができる。
【００５８】
また上述の実施例においては、コネクタを使用して着脱可能に中継ケーブルを接続し、さらにはイヤホンを接続する場合について述べたが、本発明はこれに限らず、いわゆる作り付けにより着脱困難に中継ケーブル及び又はイヤホンを接続する場合にも広く適用することができる。
【００５９】
また上述の実施例においては、イヤホンのケーブルをアンテナとして使用する場合について述べたが、本発明はこれに限らず、信号伝送用のケーブルを介して各種の外部機器にオーディオ信号、ビデオ信号等の各種信号を伝送する場合、さらには電源伝送用のケーブルを介して外部機器との間で電源を伝送する場合等に広く適用することができる。
【００６０】
また上述の実施例においては、本発明を携帯電話システムに適用する場合について述べたが、本発明はこれに限らず、放送波の受信機能を備えた携帯音楽プレイヤー等、種々の受信装置に広く適用することができる。
【産業上の利用可能性】
【００６１】
本発明は、受信システム、受信装置及び中継ケーブルに関し、例えばディジタルラジオ放送等を受信可能な携帯電話に適用することができる。
【図面の簡単な説明】
【００６２】
【図１】本発明の実施例１の携帯電話システムを示すブロック図である。
【図２】図１の携帯電話システムの斜視図である。
【図３】図１の携帯電話システムのイヤホンアンテナの説明に供する図である。
【図４】図１の携帯電話システムのアンテナの接続を示す模式図である。
【図５】図４の接続図である。
【図６】バンドパスフィルタをそれぞれ設けて２つのチューナでアンテナを共用する場合の、ハイバンドチューナ側における受信特性を示す特性曲線図である。
【図７】図６の特性曲線図における垂直偏波の特性を示す図表である。
【図８】図６の特性曲線図における水平偏波の特性を示す図表である。
【図９】バンドパスフィルタをそれぞれ設けて２つのチューナでアンテナを共用する場合の、ローバンドチューナ側における受信特性を示す特性曲線図である。
【図１０】図９の特性曲線図における垂直偏波の特性を示す図表である。
【図１１】図９の特性曲線図における水平偏波の特性を示す図表である。
【図１２】図６との対比により、ローバントチューナのみの場合における特性を示す特性曲線図である。
【図１３】図１２の特性曲線図における垂直偏波の特性を示す図表である。
【図１４】図１２の特性曲線図における水平偏波の特性を示す図表である。
【図１５】図１２との対比により、ハイバントチューナのみの場合における特性を示す特性曲線図である。
【図１６】図１５の特性曲線図における垂直偏波の特性を示す図表である。
【図１７】図１５の特性曲線図における水平偏波の特性を示す図表である。
【図１８】図１の携帯電話システムにおいて、芯線ケーブルＬＧのみをハイバンドチューナに接続する場合の特性を示す特性曲線図である。
【図１９】図１８の特性曲線図における垂直偏波の特性を示す図表である。
【図２０】図１８の特性曲線図における水平偏波の特性を示す図表である。
【図２１】図１８の測定に供した接続を示す接続図である。
【図２２】図２１の接続において、マッチング回路を設けた場合の特性を示す特性曲線図である。
【図２３】図２２の特性曲線図における垂直偏波の特性を示す図表である。
【図２４】図２２の特性曲線図における水平偏波の特性を示す図表である。
【図２５】図２２の測定に供した接続を示す接続図である。
【図２６】図１の携帯電話システムにおけるハイバンドチューナの受信特性を示す特性曲線図である。
【図２７】図２６の特性曲線図における垂直偏波の特性を示す図表である。
【図２８】図２６の特性曲線図における水平偏波の特性を示す図表である。
【図２９】図２６との対比によりローバンド側の受信特性を示す特性曲線図である。
【図３０】図２９の特性曲線図における垂直偏波の特性を示す図表である。
【図３１】図２９の特性曲線図における水平偏波の特性を示す図表である。
【図３２】本発明の他の実施例による携帯電話システムを示すブロック図である。
【図３３】図３２とは異なる例による携帯電話システムを示すブロック図である。
【図３４】図３２及び図３３とは異なる例による携帯電話システムを示すブロック図である。
【図３５】１つのアンテナを２つのチューナで共用する場合の接続図である。
【符号の説明】
【００６３】
１、４１……スイッチ回路、２、１３Ａ、１３Ｂ……アンテナ、３、４……チューナ、１１、５１、６１、７１……携帯電話システム、１２……中継ケーブル１２……イヤホン、２０……多芯同軸ケーブル、５４、６４、７４……携帯電話、ＬＧ、ＬＬ、ＬＲ……芯線ケーブル、ＳＳ……被覆線
【図１】
0004973529.tif 000002
【図２】
0004973529.tif 000003
【図３】
0004973529.tif 000004
【図４】
0004973529.tif 000005
【図５】
0004973529.tif 000006
【図６】
0004973529.tif 000007
【図７】
0004973529.tif 000008
【図８】
0004973529.tif 000009
【図９】
0004973529.tif 000010
【図１０】
0004973529.tif 000011
【図１１】
0004973529.tif 000012
【図１２】
0004973529.tif 000013
【図１３】
0004973529.tif 000014
【図１４】
0004973529.tif 000015
【図１５】
0004973529.tif 000016
【図１６】
0004973529.tif 000017
【図１７】
0004973529.tif 000018
【図１８】
0004973529.tif 000019
【図１９】
0004973529.tif 000020
【図２０】
0004973529.tif 000021
【図２１】
0004973529.tif 000022
【図２２】
0004973529.tif 000023
【図２３】
0004973529.tif 000024
【図２４】
0004973529.tif 000025
【図２５】
0004973529.tif 000026
【図２６】
0004973529.tif 000027
【図２７】
0004973529.tif 000028
【図２８】
0004973529.tif 000029
【図２９】
0004973529.tif 000030
【図３０】
0004973529.tif 000031
【図３１】
0004973529.tif 000032
【図３２】
0004973529.tif 000033
【図３３】
0004973529.tif 000034
【図３４】
0004973529.tif 000035
【図３５】
0004973529.tif 000036